(57)【要約】表面を洗浄するための手持ち式磨き洗浄装置が、内側域及び外側域を有する防水性ケーシングを含む。内側域は、電気機械的モーターと電気機械的モーターに接続された電池とを有する。外側域は、電気機械的モーターに取り外し可能に結合された磨き洗浄表面を有して、電気機械的モーターが、磨き洗浄表面へ機械的動作を供給する。磨き洗浄表面は、洗浄性組成物を含浸している。キットは、手持ち式磨き洗浄装置を有し、使用方法はかかる手持ち式磨き洗浄装置を用いる。洗浄性組成物を含浸した使い捨て磨き洗浄表面が、手持ち式磨き洗浄装置と共に使用するように設計されている。
2004516056.tif 000002
【特許請求の範囲】
【請求項１】
表面を洗浄するための手持ち式磨き洗浄装置において、前記手持ち式磨き洗浄装置は防水性ケーシングを具備し、
前記防水性ケーシングは、
Ａ．内側域であって
ｉ．電気機械的モータ及び
ｉｉ．前記電気機械的モータに接続された電池
を具備する内側域と、
Ｂ．洗浄性組成物を含浸した磨き洗浄表面を備える外側域であって、前記磨き洗浄表面は前記電気機械的モータに取り外し可能に結合されているものである外側域とを具備し、
前記電気機械的モータが前記磨き洗浄表面に機械的動作を供給する、手持ち式磨き洗浄装置。
【請求項２】
前記電池は、再充電可能な電池であって、使用していない時に、前記防水性ケーシングの少なくとも一部は、再充電スタンド内に取り外し可能に置かれ、前記再充電スタンド内に取り外し可能に置かれている時に、前記再充電可能な電池が再充電される、請求項１に記載の手持ち式磨き洗浄装置。
【請求項３】
旋回部分を更に具備し、前記磨き洗浄表面が前記旋回部分に結合されている、請求項１に記載の手持ち式磨き洗浄装置。
【請求項４】
前記防水性ケーシングは、蛇口接続体と、前記蛇口接続体に連結されたすすぎオリフィスとを更に備える、請求項１に記載の手持ち式磨き洗浄装置。
【請求項５】
品目を洗浄するための方法において、
Ａ．請求項１に記載の手持ち式磨き洗浄装置を提供する工程及び
Ｂ．前記品目に前記磨き洗浄表面で接触して前記品目を洗浄する工程
を含む、方法。
【請求項６】
前記品目は硬質表面品目である、請求項５に記載の方法。
【請求項７】
改良された洗浄を提供するためのキットにおいて、
Ａ．表面を洗浄するための手持ち式磨き洗浄装置であって、前記手持ち式磨き洗浄装置は防水性ケーシングを具備し、
前記防水性ケーシングは、
ｉ．内側域であって
ａ．電気機械的モータ及び
ｂ．前記電気機械的モータに接続された電池
を具備するものである、内側域と、
ｉｉ．外側域
とを具備し、
前記電気機械的モータが前記磨き洗浄表面に機械的動作を供給する、手持ち式磨き洗浄装置並びに
Ｂ．洗浄性組成物を含浸した磨き洗浄表面であって、前記磨き洗浄表面は前記電気機械的モータに取り外し可能に結合されるように設計されたものである、磨き洗浄表面を具備する、キット。
【請求項８】
前記洗浄性組成物は硬質表面洗浄性組成物である、請求項７に記載のキット。
【請求項９】
洗浄性組成物を含浸した使い捨て磨き洗浄表面であって、前記使い捨て磨き洗浄表面は、手持ち式磨き洗浄装置に取り外し可能に結合することができる、使い捨て磨き洗浄表面。
【請求項１０】
前記手持ち式磨き洗浄装置は、前記使い捨て磨き洗浄表面に機械的動作を供給する電気機械的モータを具備する、請求項９に記載の使い捨て磨き洗浄表面。
【発明の詳細な説明】
【０００１】
（発明の分野）
本発明は、手持ち式磨き洗浄装置、使い捨て磨き洗浄表面、及びこれらの使用法に関する。特に、本発明は、電気機械的モーター、使い捨て磨き洗浄表面、及びこれらの使用法を含有する、手持ち式磨き洗浄装置に関する。
【０００２】
（発明の背景）
硬質表面などの表面の洗浄には、特に洗浄すべき品目が汚れ、油、及び／又はこびり付いた垢を有する場合の洗浄には、強い磨き洗浄を必要とすることが多い。更に、この磨き洗浄は典型的に、特に洗浄する表面が複数の表面及び／又は大きな表面である場合に非常に退屈で労力を要するものである。そのような磨き洗浄はまた、長時間を要することがあり、それ故に非常に負担となることがある。食物が皿や深鍋や浅鍋などにこびり付いた、及び／若しくは焼き付いた、などの特定の場合には、洗浄性組成物、例えば液体皿洗い組成物などを皿に適用して洗浄するのが望ましいことがある。したがって、消費者は通常、洗浄性組成物を、磨き洗浄パッド、スポンジ、スチールウール、又は他の基材に適用して、次に皿を力強くごしごし擦って洗う。しかしながら、磨き洗浄パッドを使用した時でさえも、その人が満足するように皿が洗われるには強い磨き洗い、したがって激しい手労働を必要とすることがある。この手洗浄は、体を消耗し非常に時間がかかる。
【０００３】
サンドブラストや研磨やバフ磨きなどの機械的及び電気的な装置は産業及び手労働作業向けに既知であるが、これらの装置は非常に重く、皿又は家庭内硬質表面などの比較的繊細な品目の洗浄には好適でない。その上かかる装置は典型的に重手作業向けに考えられていて非常に騒がしいことがあり、並びに／又はかなりの、そして不愉快な度合の振動をもユーザーに与える。したがって、これらの装置は、日常的な長時間の使用には不適である。
よって、家庭内洗浄用に改良した装置及びキットへの要望が存在する。
そのような改良された装置を使った有用な磨き洗浄表面に対する要望も存在する。そのような改良された装置を用いる改良された洗浄方法への要望もまた存在する。
【０００４】
（発明の概要）
本発明は、内側域及び外側域のある防水性ケーシングを有する、表面を洗浄するための手持ち式磨き洗浄装置に関する。内側域は、電気機械的モーターと電気機械的モーターに接続された電池とを有する。外側域は、電気機械的モーターに取り外し可能に結合された磨き洗浄表面を有して、電気機械的モーターが、磨き洗浄表面へ機械的動作を供給する。磨き洗浄表面は、洗浄性組成物を含浸している。そのような手持ち式磨き洗浄装置及びその使用法を含有するキットもまた本発明で提供される。手持ち式磨き洗浄装置で使用するための、洗浄性組成物を含浸した使い捨て磨き洗浄表面もまた提供される。
【０００５】
今や、手持ち式磨き洗浄装置は、有効な機械的動作を供給して品目を洗浄するようにする一方で、特に年長者が長時間使用するのに十分軽くすることができると判明した。取り外し可能な磨き洗浄表面を用いることにより、本発明は衛生面の改善をも提供することができ、特に使い捨て磨き洗浄表面を用いるときに、健康改善の利益に繋げることもできる。本発明の手持ち式磨き洗浄装置では、洗浄性組成物が既にその中に含浸されているため、消費者が磨き洗浄パッドに洗浄性組成物を加える必要性も減少する。しかも、手持ち式磨き洗浄装置は、消費者の手の洗浄溶液への接触と品目を洗浄するのに費やされる時間とを減少できる。これによって、ユーザーは、より多くの自由な時間を得るだけでなく、手の炎症の可能性を最小化することができる。
【０００６】
そのような手持ち式磨き洗浄装置は、持ち易く、使い心地がよく、及び皿、金属製大皿、食器類、又はそれどころかガラス器などの比較的繊細な品目に対して使用することができる。手持ち式磨き洗浄装置はまた苛立たせる振動がユーザーに伝わるのを減少させる一方で、満足できる洗浄を提供し、品目、特に皿類を洗浄する改良された方法を提供することができる。更に、本発明は、頑強及び／又は硬くなったしみを予浸する必要性を減少し、こびり付いた汚れの除去をより容易にすることができる。
本発明の前記及びその他の特徴、態様、利点、変形、並びに本明細書に記載された実施形態は、付随する特許請求の範囲と共に本開示を読むことにより当業者には明らかであって、これら特許請求の範囲内に包容される。
【０００７】
（詳細な説明）
本明細書は、本発明を特定して指摘し明確に請求する請求項をもって結論とするが、本発明は、添付図面の以降の説明からより良く理解されると考えられる。本明細書における全ての百分率、比率、及び割合は、特に指定のない限り、重量基準である。全ての温度は、特に指定のない限り摂氏（℃）による。引用した全ての文献は、その全体を参考として本明細書に組み入れる。いかなる参照の引用も、特許請求した発明に対する従来技術としての有用性についての決定に関する容認ではない。本明細書の図面は、必ずしも一定の比率の縮尺で描かれていない。
【０００８】
本明細書で使用する「手持ち式」という用語は、平均的な大きさの人の手で少なくともその一部を容易に且つ便利に扱われる品目を表す。好ましくはこの用語は、その品目全体が、使用中に快適な手持ちを容易にする人間工学的な大きさや重量、形状を有していることを示す。
本明細書で使用する「防水性」という用語は、開ける、壊す、割るなどしない限り、通常の使用中に水が品目の内側域へ誤って入るのをその品目が実質的に受け付けないことを意味する。この用語は、品目の内側へ特に加えられた、又は望んで加えられたいかなる水をも包含しない。
【０００９】
図類を参照すると、図１は、本発明の手持ち式磨き洗浄装置（ＨＨＳＤ）の好ましい実施形態の外側面図を示す。図１において、ＨＨＳＤ１０は、外側域２２を含有する防水性ケーシング２０を有する。外側域２２はまた磨き洗浄表面２４を含有し、これは加熱要素（図２の５２参照）を介して電気機械的モーター（図２の５０参照）に取り外し可能に結合されている。外側域２２はまた親指握り部２６を含有し、これはモーター作動装置２８を含有する。親指握り部２６は、人間工学的握り部３０と組合わさって滑りを減少する。外側域２２はまた人間工学的握り部３０から遠位にある振動緩衝体３２と、これらの間の旋回部分３４とを含有する。
【００１０】
本発明で有用なケーシングは、いかなる材料、特にプラスチック、樹脂、及び／又はポリマーで形成され、水及び／又は洗浄性溶液が接触して中に含まれる構成要素を損なうことを防ぐように防水性とすることができる。更に、本発明の防水性ケーシングは、様々なキッチン装飾様式に対して魅力あるように、様々な色やデザインなどで形成することができる。好ましい実施形態では、ＨＨＳＤの防水性ケーシングは、ユーザーが自分の趣味に従ってＨＨＳＤをカスタム化するのに用いる交換可能な色パネルを有する。
【００１１】
ＨＨＳＤ及び／又は防水性ケーシングは、使用の便宜上、水に落とした時に浮くように設計するのが好ましい。防水性ケーシング及び／又は外側域の大きさ、形状、重さ、バランス、及びその他の物理的特性は、本発明の範囲から逸脱することなく変化させることができる。ＨＨＳＤの大きさは、所望の形状に応じて大幅に変化させることができるが、ＨＨＳＤの少なくとも一部は、人間工学的に設計された、すなわち手で保持するのに便利で快適な大きさと形状にすべきである。ＨＨＳＤは、長さが好ましくは約３ｃｍ〜約５０ｃｍ、より好ましくは約５ｃｍ〜約３０ｃｍであって、高さ及び幅がそれぞれ独立して、好ましくは約０．５ｃｍ〜約２０ｃｍ、より好ましくは約１ｃｍ〜約１５ｃｍである。しかし、これらの寸法は、ＨＨＳＤを平均的な人の手で容易に及び快適に保持できる限り、本発明を限定することをなんら意図するものではない。それ故に、ＨＨＳＤは好ましくは、概ねつえのような形状、ピストルのような形状、人間工学的輪郭の形状、及びこれらの組み合わせを有するように設計される。更に、ＨＨＳＤは、所望により、左手で、右手で、又は両手で使用するよう人間工学的に設計することができる。よって、滑りを減少させる親指握り部及び／又は人間工学的握り部が殊に好ましい。図１のＨＨＳＤは、右手で懐中電灯のように保持することを予想しているが、他の実施形態及び設計も本発明に含まれる。
【００１２】
使用及び保持を容易にするために、ＨＨＳＤの重量は約１ｇ〜約１ｋｇ、好ましくは約１０ｇ〜約５００ｇ、より好ましくは約２０ｇ〜約４００ｇであることが好ましい。理論によって限定されることを意図しないが、上の範囲を外れるＨＨＳＤは、１）平均的な人が繰り返し、及び／又は長い時間使用するには重すぎる、又は２）長時間有用であるのに十分な洗浄性組成物容量及び／又は電池寿命を保有できない、のいずれかであると考える。
本発明で有用な磨き洗浄表面は、スポンジ、ブラシ、織布材料、不織布材料、研磨用材料、プラスチック材料、布地材料、ポリマー材料、樹脂材料、ゴム材料、又はこれらの混合物、好ましくはブラシ、研磨用材料、発泡ゴム材料、機能的吸収性材料（ＦＡＭ）、ポリウレタン発泡体、及びこれらの混合物にて形成されるのが好ましい。磨き洗浄表面が比較的繊細な材料又は引裂かれ易い材料で形成される場合には、この材料を不織布材料などの水透過性でより強靱な材料で部分的又は完全に覆うことが好ましい。
【００１３】
本発明で有用なＦＡＭは、ＦＡＭの重量基準で好ましくは約２０ｇＨ２Ｏ／ｇを超える、より好ましくは４０ｇＨ２Ｏ／ｇを超える吸収能力を有する。そのような好ましいＦＡＭが、米国特許第５，２６０，３４５号（１９９３年１１月９日、ドマレーズ（ＤｅｓＭａｒａｉｓ）らに発行）、又は米国特許第５，８８９，８９３号（１９９９年５月４日、ダイエル（Ｄｙｅｒ）らに発行）に記載されている。好ましいポリウレタンの例は、米国特許第５，０８９，５３４号（１９９２年２月１８日、トーエン（Ｔｈｏｅｎ）らに発行）、米国特許第４，７８９，６９０号（１９８８年１２月６日、ミロバノビック−レリック（Ｍｉｌｏｖａｎｏｖｉｃ−Ｌｅｒｉｋ）らに発行）、日本特許発行番号１０−１８２７８０（１９９８年７月７日、花王（株）に発行）、日本特許発行番号９−３０２１５（１９９７年２月４日、横浜ゴム（株）に発行）、日本特許発行番号５−７０５４４（１９９３年５月２３日、ダウケミカル社（Ｔｈｅ Ｄｏｗ Ｃｈｅｍｉｃａｌ Ｃｏｍｐａｎｙ）に発行）、及び日本特許発行番号１０−１７６０７３（１９９８年６月３０日、（株）ブリヂストンに発行）に記載されている。
【００１４】
好ましくは磨き洗浄表面は、硬くはなく、その代わり少なくとも１つの弾力性部分、好ましくは研磨性の部分で覆われた弾力性部分を有する。そのような任意選択の弾力性部分により、ユーザーは、例えば皿又はガラス器などの洗浄する磨き洗浄表面と品目との間の接触や圧力などの大きさを変化させることができる。磨き洗浄表面はまた、洗浄、並びに水及び洗浄性組成物が磨き洗浄表面を通過することを強化するために、連続気泡構造を備える多孔質磨き洗浄表面であるのが好ましい。
【００１５】
そのような多孔質の磨き洗浄表面はまた、洗浄性組成物と共に使用するとき、泡を塗る望ましい特性を助長することができる。磨き洗浄表面は、電気機械的モーターに取り外し可能に結合されており、このことは、所望により、磨き洗浄表面を容易に取り外し、取替え、及び／又は交換できることを意味する。しかし、磨き洗浄表面は、ＨＨＳＤの実使用中に突然外れそうになることがないように、電気機械的モーターへ直接又は間接的に十分固定されている。本発明の着脱式の磨き洗浄表面には、ロッキング機構、防水性又は耐水性接着剤、機械的クランプ、プラスチック又は可撓性取付けシステム（例えば、組み合わせヴェルクロ（ＶＥＬＣＲＯ：登録商標）細長片）など、いかなる簡便な取付けシステムをも用いることができる。
【００１６】
複数の磨き洗浄表面を設けて、そのそれぞれが、所定の弾力性や特別な形状、特別な洗浄性化学物質などの特定の洗浄特性を有することができる。本発明で有用な磨き洗浄表面は、所望により実質的にいかなる形状にもできるが、洗浄する品目を考慮して設計するのが好ましい。例えば、平らな皿を洗浄するように設計された磨き洗浄表面は、平らな皿に接触する少なくとも１つの大きくて平らな側面を有するべきであるが、シャンペン用の細長い酒杯を洗浄する磨き洗浄表面は、長くて細くなければならない。その上、磨き洗浄表面の硬さ／柔らかさ及びテクスチャーもまた変化させることができ、柔らかい磨き洗浄表面は、ボーンチャイナなどの繊細な材料を洗浄するのに提供でき、柔らかくて長い磨き洗浄表面は、クリスタル器を洗浄するのに提供でき、硬くて研磨性の磨き洗浄表面は、深鍋や浅鍋などを洗浄するのに提供できる。これらの磨き洗浄表面のそれぞれは、取り外し可能にＨＨＳＤへ取り付けて、必要に応じて交換することができる。その上、着脱式の磨き洗浄表面は、摩耗した時や、含浸した洗浄性組成物を使い果たした時に、衛生目的などのために、容易に取り替えられるという利点を有する。更に、着脱式の磨き洗浄表面は、別個の磨き洗浄表面上に含浸する、同じ磨き洗浄表面上に含浸する、又は同じ磨き洗浄表面上の物理的に異なる場所に含浸するなどして、様々な化学物質を含有することができる。これは、単一組成物中で提供する場合に互いに両立しない、例えば漂白剤、酵素、ｐＨ緩衝剤などの化学物質に対して特に有用である。別個の磨き洗浄表面を設ける場合、それぞれは、特定の型の洗浄、例えば油／油脂分散剤、研磨剤などに使用され得る。またそのようなデザインにより、ユーザーは、ある品目の洗浄に順次化学物質を用いて最適な結果を得ることができる。
【００１７】
したがって、本発明の磨き洗浄表面は、その上に含浸された多数の活性成分を含有することができ、それら活性成分には、酵素、漂白剤、界面活性剤、ビルダー、殺生物剤、香料、ポリマー、加湿剤、アルカリ源、ｐＨ緩衝剤、すすぎ助剤、溶媒、及びこれらの混合物などが挙げられる。これらは、任意選択的に、制御放出技術で処方して、安定性を増す、又は使用中に一定の活性放出をするようにできる。
好ましくは、磨き洗浄表面は、乳化ポリマー、ゼオライト、シクロデキストリン、デンプンカプセル封入、多層の薄いフィルムポリマー、及びこれらの混合物からなる群から選択される、制御放出技術で含浸される。
【００１８】
このように、磨き洗浄表面は、洗浄性組成物を含浸しており、その洗浄性組成物は、洗浄する品目に直接又は間接的に（例えば、水に分散して）適用することを意図したいかなる消費者製品組成物であってもよい。洗浄する品目は通常、洗浄性組成物適用の間、又は後のいずれかに磨き洗浄動作が施される。本発明の洗浄性組成物は、典型的には硬質表面洗浄性組成物であるが、他の型の洗浄性組成物も同じように本発明において有用であり得る。理論により限定されることは望まないが、硬質表面洗浄性組成物は、手洗い状況で及び長い磨き洗浄が必要な状況で一般に使用されているので、本発明のＨＨＳＤ、キット、及び方法で特に利益を得ることができると考えられる。本発明の洗浄組成物は典型的に、水に溶解性であり、好ましくは殊に溶解性である。
【００１９】
洗浄性組成物の物理的性質は磨き洗浄表面を設計する時に考慮すべきであるが、本発明で有用な洗浄性組成物は、物理的な形体には制限がなく、水性でも非水性でもよく、磨き洗浄表面に含浸されて、ある品目の洗浄に使用するためそこから放出され得る限り、液体、固定、ペースト、泡状、粒状、ゲル、又はいかなる他の消費者が受入れ可能な形体であってもよい。磨き洗浄表面は、洗浄性組成物を磨き洗浄表面上に噴霧する、磨き洗浄表面を洗浄性組成物中に浸漬する、磨き洗浄表面を洗浄性組成物の周りに形成する、洗浄性組成物を磨き洗浄表面中に注入するなど、様々な方法により洗浄性組成物を含浸することができる。洗浄性組成物は典型的に、磨き洗浄表面に水と共に接触することにより放出されるが、熱活性化などの他の方法も可能であり、本発明に組み入れられる。
【００２０】
本発明で有用な洗浄性組成物は、当技術分野で既知の様々な成分を含有することができ、例えば、界面活性剤、溶媒、水、汚れ剥離剤又は汚れ剥離ポリマー、香料、染料、漂白剤、酵素、悪臭吸収剤（例えば、シクロデキストリン）などがある。
本発明で有用な硬質表面洗浄性組成物は典型的に、皿、タイル、床板、壁、ガラスなどの表面及び／又は品目の上で使用するように処方される。好ましくは、硬質表面洗浄性組成物は、皿手洗い組成物、床洗浄組成物、及び／又はガラス洗浄組成物である。
【００２１】
かかる硬質表面洗浄性組成物の好ましい例として、例えば、米国特許第５，９９０，０６５号（ビンソン（Ｖｉｎｓｏｎ）ら、１９９９年１１月２３日に発行）、ＰＣＴ国際公開特許ＷＯ９９／０３５１２Ａ１（バウチャー（Ｂｏｕｃｈｅｒ）及びケイン（Ｋａｉｎ）、１９９９年１月２８日に公開）、ＰＣＴ国際公開特許ＷＯ９９／２４５３９Ａ１（カストゥリ（Ｋａｓｔｕｒｉ）ら、１９９９年５月２０日に公開）、ＰＣＴ国際公開特許ＷＯ９９／２７０５８Ａ１（カストゥリ（Ｋａｓｔｕｒｉ）ら、１９９９年６月３日に公開）、ＰＣＴ国際公開特許ＷＯ９９／２７０５４（カストゥリ（Ｋａｓｔｕｒｉ）及びシャファー（Ｓｃｈａｆｅｒ）、１９９９年６月３日に公開）、ＰＣＴ国際公開特許ＷＯ９９／２７０５３（カストゥリ（Ｋａｓｔｕｒｉ）ら、１９９９年６月３日に公開）、ＰＣＴ国際公開特許ＷＯ９９／２７０５７（カストゥリ（Ｋａｓｔｕｒｉ）ら、１９９９年６月３日に公開）、ＰＣＴ国際公開特許ＷＯ９９／６３０３４（ビンソン（Ｖｉｎｓｏｎ）ら、１９９９年１２月９日に公開）、ＰＣＴ国際公開特許ＷＯ００／４６３３１（クラーク（Ｃｌａｒｋｅ）ら、２０００年８月１０日に公開）、及びＥＰ出願番号９９／８７０２７５．７（クラーク（Ｃｌａｒｋｅ）ら、１９９９年１２月２２日に出願）に記載されるもののような水性及び非水性洗浄性組成物などが挙げられる。
【００２２】
本発明で有用な殊に好ましい洗浄性組成物はまた、塩素系漂白剤、酸素漂白剤、又はこれらの混合物などの漂白剤を含有し、より好ましくはアウシモントＵＳＡ社（Ａｕｓｉｍｏｎｔ ＵＳＡ，Ｉｎｃ．）（米国ニュージャージー州ソロフェア（Ｔｈｏｒｏｆａｒｅ）、ｈｔｔｐ：／／ｗｗｗ．ａｕｓｉｕｓａ．ｃｏｍも参照のこと）からＥＵＲＥＣＯ（登録商標）として入手可能なｅ−フタルイミド−ペルオキシヘキサン酸などの予め形成された過酸漂白剤を含有する。漂白剤、好ましくは予め形成された過酸漂白剤は、存在する場合には、典型的には、洗浄性組成物の約２重量％〜約２０重量％のレベルで存在するが、より高い及びより低いレベルもまた本発明で有用である。予め形成された過酸漂白剤は、安定性改善のために、ｐＨが約７未満の組成物中に含有することができる。次に、活性化すると予め形成された過酸漂白剤は過酸を放出することができ、これが今度は活性酸素を発生して、活性酸素が洗浄する品目を漂白する。
【００２３】
更に、アルカリ環境がある種の汚れを緩めて溶解することを顕著に助けることができるので、洗浄性組成物は、使用中に約７より大きい、より好ましくは約１１より大きいｐＨを有することが殊に好ましい。使用中のそのようなｐＨは、ｐＨ緩衝剤及び／又は当技術分野で既知の他の方法を用いることにより得られる。
図１では、任意選択の振動緩衝体３２が、ユーザー及び／又は周囲環境に伝わる振動の大きさ及び／又は強度を減少する働きをする。これにより、ＨＨＳＤを快適に使用できる時間を著しく増加することができ、使用中のＨＨＳＤの騒音レベルを著しく減少することもできる。それ故に、そのような振動緩衝体は殊に望ましい。本発明で有用な振動緩衝体は、例えば、内側域及び／又は外側域に発泡ゴム緩衝体を設けることにより、ＨＨＳＤに１つ以上の柔らかいプラスチック、又はゴムガスケットを取り入れることなどにより設計することができる。
【００２４】
好ましい実施形態では、ＨＨＳＤは、通常の周囲暗騒音レベル約５０ｄＢ〜５５ｄＢと比較して、使用中に８５デシベル（ｄＢ）未満の騒音、好ましくは約０ｄＢ〜約７５ｄＢの騒音、より好ましくは約３５ｄＢ〜約７０ｄＢの騒音が発生する。騒音レベルは、低騒音電気的エンジンを使用する、又はＨＨＳＤの設計に騒音緩衝体を取り入れることにより制御可能である。騒音緩衝体は、例えば、ゴム又はプラスチックで減衰するモーター取付け部、及び／又は層の間に軽量緩衝材若しくは空気を取り入れた層状ケーシング設計を使用することにより実現できる。後者はまた、ＨＨＳＤの「浮上性」増加にも役立つことができる。
電気機械的モーターはまた、使用中に受容可能な騒音特性をもたらすことが好ましい。
【００２５】
例えば、歯科医のドリルに見られるような甲高い金属音は、典型的に標準的な消費者には受入れられない。よって、ＨＨＳＤの使用中や、充電中などの騒音特性は、ピーク周波数を３ｋＨｚ未満、好ましくは１．５ｋＨｚ未満にすべきである。更により好ましくは、騒音レベル及び騒音特性の両方は、消費者に受入れられるように、ＨＨＳＤを設計する時に考慮される。
図１では、任意選択の旋回部分３４が磨き洗浄表面２４に結合されていて、ユーザーが、磨き洗浄表面と人間工学的握り部との間の相対角度を変えることにより、磨き洗浄表面２４を洗浄する品目の特定部分へ容易に向けて、品目の輪郭に沿わせることが可能になる。
【００２６】
図１では、モーター作動装置２８は、感圧ボタンであって、感圧ボタンは電気機械的モーター（図２の５０）に接続されてこれを作動させ、今度は電気機械的モーターが磨き洗浄表面２４へ機械的動作を供給する。ＨＨＳＤの外側域の上のモーター作動装置は任意選択であり、防水性ケーシングの内側域内とすることもできる。例えば、ＨＨＳＤの電気機械的モーターは、再充電スタンドから取り外された時、及び／又は使用のためにある角度に位置合わせされた時に、「自動的に」オン・オフするように設計されてもよい。
図１において、モーター作動装置２８は、使用中に容易に及び快適に押すことができるように設計される。本発明で有用なモーター作動装置は、ボタン、スィッチ、ダイアルなどとして設計することができ、及び電気機械的モーターを、第二回の作動が行われるまで、作動している（例えば押し下げている）間だけ作動することができる。好ましい実施形態では、モーター作動装置は、可変速モーター作動装置であって、モーター作動装置の押し下げが強ければ強い程、モーター作動装置が早く回るなどして、次に、機械的動作が早ければ早い程、電気機械的モーターにより提供される。
【００２７】
図１のＨＨＳＤ１０は、誘導型の再充電スタンド３６内に載っている。ＨＨＳＤはまた、再充電式電池（図２の４６参照）に残っている概略充電率を示す、組込み充電指示計３８を有する。電池が充電式電池である場合、再充電式電池は典型的には簡便な再充電スタンドを備えた誘導型の再充電機構であるのが殊に好ましく、理由としては、これらが外部接点を必要としないでバッテリを再充電するからである。かかる再充電システムは、一般的に再充電式コードレス電話及びかみそりで使用され、これが特に好まれるのは、これによって外部（即ち、防水性ケーシングの外側域上に曝された）再充電接点の腐食と、外部再充電接点の間に流れる望ましくない電気によって引き起こされる短絡の可能性を回避するからである。通常はＨＨＳＤの少なくとも一部が再充電スタンドに載るが、ＨＨＳＤ全体が載ってもよい。
【００２８】
本発明で有用な充電指示計は、再充電式のかみそりや懐中電灯などで使用しているような、当技術分野で既知のいかなる型の充電指示計とすることができる。本発明の充電指示計の好ましい実施形態として、１つ以上の発光ダイオード、メーター、色指示計、液晶表示装置、灯などが挙げられる。代替ではあるが好ましい実施形態では、充電指示計は、再充電スタンド上に配置される。
図２は、ＨＨＳＤの好ましい実施形態の切り欠き側面図を示す。図２では、ＨＨＳＤ１０は、水連結体４０を有して、これは水ホース４２に連結される。水ホース５８は、蛇口（図示せず）又は類似物に連結される。水連結体４０は、すすぎオリフィス４４で終了し、すすぎオリフィス４４は、洗浄する品目を濡らす及び／又はすすぐのに使用される。ＨＨＳＤ１０はまた、電池４６を含有し、これは、モーター作動装置２８及び電気機械的モーター５０に一連の電線４８を介して接続される。電気機械的モーター５０は、次に磨き洗浄表面２４に直接的に結合される。モーター作動装置２８は、押し下げられると回路を完成して、電気機械的モーター５０を作動する。電気機械的モーター５０は、次に、機械的動作を作り出して磨き洗浄表面２４に伝える。磨き洗浄表面は、次に、洗浄する品目に接触させられる。
【００２９】
本発明で有用な水連結体は、単に水ホースをすすぎオリフィスに連結するだけの管としてもよく、又は水圧や水流量などを調節するための調節機構を更に含んでもよい。調節機構は、所望により、例えば、外部引き金又は作動装置、弁、圧力調整器、フィルターなどを含むことができる。あるいは水流量は、例えば蛇口の開け閉めにより調節してもよい。
すすぎオリフィスは、弱めのシャワーから真っ直ぐで強めの流水までいかなる型の水噴流でも所望により供給するように設計できる。好ましくは、すすぎオリフィスは、ユーザーが選定可能である様々な水噴流を提供するために調節可能とする。
【００３０】
本発明で有用な電池は、いかなる使い捨て及び／又は充電式の電池、又はその他当技術分野で既知の電源、好ましくはアルカリ電池、ニッケル−カドミウム電池、ニッケル−金属水素化物電池、亜鉛−炭素電池、酸化銀電池、リチウム電池、又はそれらの組み合わせとすることができる。複数の電池もまた本発明において使用してもよい。その上、ＨＨＳＤが手持ち式で好ましくは自蔵型であるので、軽量電池や小容量電池や高効率電池などのような、高い電圧対重量の比、及び／又は高い電流対電池重量の比を有する電池が殊に好ましい。完全に充電した時に、電池は典型的に、再充電及び／又は取り替えが必要となる前に、少なくとも約１０分間、好ましくは少なくとも約３０分間、より好ましくは少なくとも約１時間の連続使用が可能である。使用していない及び／又は再充電スタンドに載っていない時、電池は、少なくとも数時間の待機能力を有するのが好ましい。本発明で有用な電池は、所望により、取り外し可能、取替え可能、及び／又は永久型とすることができる。
【００３１】
本発明で有用な電気機械的モーターは、当技術分野で既知であって、横動作、回転動作、又はこれらの組み合わせなどの機械的動作を供給する。横動作を供給する場合には、ユーザーの快適さや電池使用や設計的見地から、電気機械的モーターは、約０．５ヘルツ（Ｈｚ）〜約３００Ｈｚ，好ましくは約１Ｈｚ〜約１００Ｈｚ、より好ましくは約１Ｈｚ〜約４０Ｈｚの横方向周波数を磨き洗浄表面へ供給するのが好ましい。同様に、回転動作を供給する場合には、電気機械的モーターは、約０．５毎秒回転（ｒｐｓ）〜約２００ｒｐｓ，好ましくは約１ｒｐｓ〜約１００ｒｐｓ、より好ましくは約１ｒｐｓ〜約５０ｒｐｓの回転周波数を磨き洗浄表面へ供給するのが好ましい。更に、回転動作を供給する場合には、本発明の電気機械的モーターは、磨き洗浄表面が洗浄する品目に対して強く押された時でさえも回転動作を供給するように、高トルクを供給するのが好ましい。これによって目覚ましい洗浄性、騒音減少、振動減少、及び／又は騒音特性利点を更に提供することができる。
【００３２】
図２では、任意選択の加熱要素５２が、防水性ケーシング２０の外側域２２の上に設けられる。本発明の加熱要素は、局所的な熱を磨き洗浄表面を経由して洗浄する品目へ供給される。これは、油及び油脂などのある種の汚れを可溶化する、及び／若しくは溶かす助けをすることができ、並びに／又は漂白の有効性、酵素の有効性などを増加する助けをすることができる。加熱要素は、所望により、別個の作動装置（図示せず）を有してもよく、又は自動であってもよい。例えば、電気機械的モーターが作動される時に、電気加熱要素は、同じ回路の部分として自動的に作動できる。あるいは加熱要素は、非電気的加熱要素、例えば、水に接触すると発熱反応で熱発生する化学物質を用いる、磨き洗浄表面に含浸された化学的加熱要素であってもよい。
【００３３】
好ましい実施形態では、ＨＨＳＤは、汚れ／垢の型、洗浄する品目の型、推奨される化学物質、推奨される電気機械的モーターの速度、推奨される加熱要素温度、推奨される磨き洗浄表面などの様々な要因と関連する、複数の事前プログラムされた及び／又は更新可能な洗浄選択肢を有して、この推奨を例えば一連の灯又は液晶表示画面などによりユーザーに提示する。ユーザーは、次に、ボタンを押すかＨＨＳＤ上のダイアル型セレクターを調節するなどにより、特定の洗浄選択肢を選定することができる。好ましい実施形態では、再充填スタンドは、液晶表示などの表示部をその上に組み入れ、その表示部は、選定した洗浄任意選択に関する選定及び／又はＨＨＳＤの説明を、例えばデータポート、好ましくは無線送信機又は赤外線データポートなどの無線式データポートを介して提供する。殊に好ましい実施形態では、ＨＨＳＤは、その中にマイクロプロセッサーを含有し、マイクロプロセッサーは、様々な洗浄選択肢のパラメータ（例えば、加熱要素温度、モーター速度）を制御すると共に、取り付けた磨き洗浄表面の型やその中の洗浄性組成物などを自動的に感知し、ユーザーが最も適切な洗浄選択肢を選定するのを助ける。それ故に、マイクロプロセッサー及び／又は制御ソフトウエアは、例えばパーソナルコンピューター又はインターネットを介して更新可能にして、新しい洗浄性組成物や新しい磨き洗浄表面、新しい洗浄選択肢などを利用するようにできる。
【００３４】
好ましい実施形態では、ＨＨＳＤはまた、例えば空気流や乾燥させる組成物や熱などを供給することにより、洗浄する品目が乾燥するのを助ける。そのような機構により、例えば、ガラス上の水滴跡が著しく減少し、ユーザーが皿洗いプロセス全体を速やかに完了することができる。
殊に好ましい実施形態では、電池効率や装置の大きさ及び重さ、並びに電池長寿命化は、電力流やアンペアなどを調節するマイクロ集積回路の使用に基づく、スマートパワーマネージメントテクノロジーの使用により最適化される。本発明で有用な好ましいスマートパワーマネージメントテクノロジーの例が、米国特許第６，０７４，７７５号（ガートステイン（Ｇａｒｔｓｔｅｉｎ）及びネブリギック（Ｎｅｂｒｉｇｉｃ）、２０００年６月１３日に認可）、及び米国特許第６，１１８，２４８号（ガートステイン（Ｇａｒｔｓｔｅｉｎ）及びネブリギック（Ｎｅｂｒｉｇｉｃ）、２０００年９月１２日に認可）に開示されている。
【００３５】
使用方法
本発明は、記述したＨＨＳＤを提供すること、洗浄性組成物を含浸した磨き洗浄表面を提供すること、及び洗浄する表面に磨き洗浄表面で接触して品目を洗浄することにより使用される。洗浄する品目はまた、典型的には、ＨＨＳＤがその品目に接触する前、接触する間、又は接触する後のいずれかで水に接触する。更に、その品目は、任意選択的に、洗浄性組成物に接触した後に水ですすいでもよく、又は磨き洗浄表面は、洗浄する品目に接触する前に水に接触してもよい。洗浄する品目は、好ましくは、皿、深鍋、浅鍋、食器類、バスルーム又はキッチンのタイル、ガラス、床張りなどの、より好ましくは皿、深鍋、浅鍋、食器類、及びこれらの組み合わせなどの硬質表面である。
磨き洗浄表面は典型的に、洗浄性組成物を含浸していて、洗浄する品目をごしごし擦って使用されるので、これにより、洗浄性組成物は必要な及び最大の利益を有する場所へ効果的に向けられる。複数の磨き洗浄表面や複数の洗浄性組成物などが用いられる場合には、本発明の使用方法は、適切な磨き洗浄表面を選定する工程、適切な洗浄性組成物を選定する工程、適切な洗浄選択肢を選定する工程などを更に含むことができる。
本発明の実施例を例証として以降に示すが、これはいかなる方法でも本発明を限定する意図からではない。
【００３６】
（実施例）
実施例１
皿洗い中に消費者の右手で保持することを意図した、図１に示すＨＨＳＤを提供する。そのＨＨＳＤの振動緩衝体及び旋回部分により、消費者は、ＨＨＳＤを長期間、例えば３０分間疲れることなく容易に使用することができる。再充電可能な電池が完全に充電されている時、１時間までの連続使用が可能である。電池は、防水性ケーシングの基部を誘導型再充電スタンド中へ挿入することにより再充電できる。電気機械的モーターは、５Ｈｚ〜７５Ｈｚの可変速度で、横方向（側から側への）磨き動作を磨き洗浄表面に供給する。モーター作動装置は、可変速作動装置である。それ故に、押すのが強ければ強い程、より早く電気機械的モーターが磨き洗浄表面を動かす。
磨き洗浄表面は外側域に結合されて、外側域は今度は電気機械的モーターに結合される。磨き洗浄表面は、多孔質発泡ゴムで製作されて、中程度に研磨性表面のプラスチックで覆われている。磨き洗浄表面は、硬質表面洗浄性組成物を含浸しているが、使用前には触っても乾いている。磨き洗浄表面は、外側域にヴェルクロ（ＶＥＲＣＯ：登録商標）締結具によって取り付けられており、この締結具は、消費者によって容易に取り外されるが、ＨＨＳＤの使用中には良い付着を提供する。
【００３７】
ＨＨＳＤは、深鍋及び浅鍋上の油性汚れ用の異なる皿洗い組成物や皿用の漂白及び洗浄性組成物やガラス器用の穏やかな磨き洗浄表面などを含有した、異なるテクスチャーである１０個の磨き洗浄表面と共に販売される。皿洗い洗剤組成物は、一般的に、陰イオン性界面活性剤、酸素漂白剤、微量成分、及び担体システムを含有する。
磨き洗浄表面は、短時間水に漬けて、洗浄性組成物の可溶化及び活性化を開始するように意図されている。次に、モーター作動装置を押すと、磨き洗浄表面が前後に動き出す。次に、動いている磨き洗浄表面を皿の表面に接触させ、これにより皿を洗浄する。
【００３８】
実施例２
１０個の磨き洗浄表面の一組が、実施例１のＨＨＳＤ用の再補充パッケージとして提供される。上のように、深鍋及び浅鍋上の油性汚れ用の異なる皿洗い組成物や皿用の漂白及び洗浄性組成物やガラス器用の穏やかな磨き洗浄表面などを含有した、１０個の磨き洗浄表面は、異なるテクスチャーを有する。皿洗い洗剤組成物は、一般的に、陰イオン性界面活性剤、酸素漂白剤、微量成分、及び担体システムを含有する。
【図面の簡単な説明】
【図１】手持ち式磨き洗浄装置の好ましい実施形態の外側側面図である。
【図２】手持ち式磨き洗浄装置の好ましい実施形態の切り欠き側面図である。
【国際公開パンフレット】
2004516056.tif 000003
2004516056.tif 000004
2004516056.tif 000005
2004516056.tif 000006
2004516056.tif 000007
2004516056.tif 000008
2004516056.tif 000009
2004516056.tif 000010
2004516056.tif 000011
2004516056.tif 000012
2004516056.tif 000013
2004516056.tif 000014
2004516056.tif 000015
2004516056.tif 000016
2004516056.tif 000017
2004516056.tif 000018
2004516056.tif 000019
2004516056.tif 000020
2004516056.tif 000021
2004516056.tif 000022
2004516056.tif 000023
【国際調査報告】
2004516056.tif 000024
2004516056.tif 000025
2004516056.tif 000026